【手続補正書】
【提出日】平成25年4月24日(2013.4.24)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報を変動表示可能な変動表示装置を有し、該変動表示の表示結果が予め定められた特定表示結果となったときに、遊技者にとって有利な特定遊技状態に制御される遊技機であって、
前記特定遊技状態とするか否か、および、前記特定遊技状態とする場合に複数種類のうちのいずれの前記特定遊技状態にするかを決定する事前決定手段と、
前記特定遊技状態終了後の判定期間が経過したか否かを判定する判定手段と、
前記判定期間内において前記事前決定手段によって前記特定遊技状態にすると決定された場合に数値データを更新する数値データ更新手段と、
前記数値データに基づいて前記特定遊技状態の回数を表示する表示手段と、
前記特定遊技状態の回数が所定回数となった場合に、特定演出を実行する特定演出実行手段と、
前記特定演出実行手段によって前記特定演出が実行された後は、当該特定演出が実行される前の前記判定期間よりも長い判定期間となることを制限する判定期間制限手段とを備えることを特徴とする、遊技機。
【手続補正２】
【補正対象書類名】明細書
【補正対象項目名】０００１
【補正方法】変更
【補正の内容】
【０００１】
本発明は、遊技機に関する。詳しくは、各々を識別可能な複数種類の識別情報を変動表示可能な変動表示装置を有し、該変動表示の表示結果が予め定められた特定表示結果となったときに、遊技者にとって有利な特定遊技状態に制御される遊技機に関する。
【手続補正３】
【補正対象書類名】明細書
【補正対象項目名】０００７
【補正方法】変更
【補正の内容】
【０００７】
（１）  各々を識別可能な複数種類の識別情報（たとえば、飾り図柄）を変動表示可能な変動表示装置（たとえば、演出表示装置９）を有し、該変動表示の表示結果が予め定められた特定表示結果となったときに、遊技者にとって有利な特定遊技状態（たとえば、１５ラウンド確変大当り、１５ラウンド通常大当り、２ラウンド確変大当りなど）に制御される遊技機（たとえば、パチンコ遊技機１、スロットマシンなど）であって、
前記特定遊技状態とするか否か、および、前記特定遊技状態とする場合に複数種類のうちのいずれの前記特定遊技状態にするかを決定する事前決定手段（たとえば、遊技制御用マイクロコンピュータ５６０、図１１のＳ２１４，Ｓ２２４、図１３のＳ６０，Ｓ７１〜Ｓ７４）と、
前記特定遊技状態終了後の判定期間（たとえば、連チャン回数を計数する期間）が経過したか否かを判定する判定手段と、
前記判定期間内において前記事前決定手段によって前記特定遊技状態にすると決定された場合に数値データ（たとえば、大当り継続回数、連チャン回数）を更新する数値データ更新手段（たとえば、演出制御用マイクロコンピュータ１００、図２９のＳ８９１）と、
前記数値データに基づいて前記特定遊技状態の回数を表示する表示手段（たとえば、演出表示装置９、演出制御用マイクロコンピュータ１００、図２９のＳ８９２）と、
前記特定遊技状態の回数が所定回数（たとえば、１０連チャン）となった場合に、特定演出（たとえば、エンディング演出）を実行する特定演出実行手段（たとえば、演出制御用マイクロコンピュータ１００、図２９のＳ８９３，Ｓ８９６）と、
前記特定演出実行手段によって前記特定演出が実行された後は、当該特定演出が実行される前の前記判定期間よりも長い判定期間となることを制限する判定期間制限手段（たとえば、大当りの種類に応じて回数を累積した回数の引戻し期間分、連チャン期間を延長する、具体的には、１５Ｒ大当りの場合５回、２Ｒ大当りの場合１０回を累積する。または、連チャン期間の特定の大当りの回数の範囲による回数の引戻し期間分、連チャン期間を延長する、具体的には、特定の大当りの回数が０〜３回であれば、引戻し期間を０回、４〜６回であれば、５０回、７回以上であれば、１００回とする。しかし、図２９のＳ８９７、図３０のＳ８６９，Ｓ８７０で示すように、エンディング演出が実行された後は、Ｓ８６９で決定される引戻し回数は一定となる）とを備えることを特徴とする。
【手続補正４】
【補正対象書類名】明細書
【補正対象項目名】０００８
【補正方法】変更
【補正の内容】
【０００８】
このような構成によれば、特定遊技状態とするか否か、および、特定遊技状態とする場合に複数種類のうちのいずれの特定遊技状態にするかが決定され、特定遊技状態終了後の判定期間が経過したか否かが判定され、判定期間内において特定遊技状態にすると決定された場合に数値データが更新され、数値データに基づいて特定遊技状態の回数が表示され、特定遊技状態の回数が所定回数となった場合に、特定演出が実行され、特定演出が実行された後は、当該特定演出が実行される前の判定期間よりも長い判定期間となることが制限される。
【手続補正５】
【補正対象書類名】明細書
【補正対象項目名】０００９
【補正方法】変更
【補正の内容】
【０００９】
このため、判定期間における特定遊技状態の回数が所定回数となっている場合には、必要以上に判定期間を長くさせないようにできるため、遊技の興趣を向上させることができる。その結果、特定遊技状態の回数によって遊技の興趣を向上させることが可能な遊技機を提供することができる。
【手続補正６】
【補正対象書類名】明細書
【補正対象項目名】００１０
【補正方法】変更
【補正の内容】
【００１０】
また、判定期間における特定遊技状態の回数が所定回数となった場合に、特定演出が実行される。このため、判定期間における特定遊技状態が所定回数となったことを、遊技者に分かり易く報知することができる。
【手続補正７】
【補正対象書類名】明細書
【補正対象項目名】００１１
【補正方法】変更
【補正の内容】
【００１１】
（２）  上記（１）の遊技機において、
前記判定期間における前記事前決定手段によって決定された前記特定遊技状態の種類に応じて前記判定期間が異なり、
前記判定期間制限手段は、前記特定演出実行手段によって前記特定演出が実行された後は、前記特定演出が実行される直前までの前記特定遊技状態の種類に応じた前記判定期間に制限することを特徴とする。
【手続補正８】
【補正対象書類名】明細書
【補正対象項目名】００１２
【補正方法】変更
【補正の内容】
【００１２】
このような構成によれば、判定期間における決定された特定遊技状態の種類に応じて判定期間が異なり、特定演出が実行された後は、特定演出が実行される直前までの特定遊技状態の種類に応じた判定期間に制限される。このため、必要以上に判定期間を長くさせないようにすることができる。
【手続補正９】
【補正対象書類名】明細書
【補正対象項目名】００１３
【補正方法】変更
【補正の内容】
【００１３】
（３）  上記（１）の遊技機において、
前記判定期間における前記事前決定手段によって決定された前記特定遊技状態の種類に応じて前記判定期間が異なり、
前記判定期間制限手段は、前記特定演出実行手段によって前記特定演出が実行された後は、当該特定演出が実行される前の前記判定期間以下の長さの特定の期間（たとえば、０回またはデフォルト回数の変動表示の期間）に制限することを特徴とする。
【手続補正１０】
【補正対象書類名】明細書
【補正対象項目名】００１４
【補正方法】変更
【補正の内容】
【００１４】
このような構成によれば、判定期間における決定された特定遊技状態の種類に応じて判定期間が異なり、特定演出が実行された後は、当該特定演出が実行される前の判定期間以下の長さの特定の期間に制限される。このため、必要以上に判定期間を長くさせないようにすることができる。
【手続補正１１】
【補正対象書類名】明細書
【補正対象項目名】００１５
【補正方法】変更
【補正の内容】
【００１５】
（４）  上記（１）から（３）のいずれかに記載の遊技機において、
前記特定演出実行手段は、前記特定遊技状態の回数が所定回数（たとえば、１０連チャン）となったことに加えて、前記複数種類の特定遊技状態のうち所定の有利度未満の特定遊技状態（たとえば、１５ラウンド通常大当り）に制御された場合に、前記特定演出を実行する（たとえば、図２９のＳ８９３，Ｓ８９４，Ｓ８９６）ことを特徴とする。
【手続補正１２】
【補正対象書類名】明細書
【補正対象項目名】００１６
【補正方法】変更
【補正の内容】
【００１６】
このような構成によれば、特定遊技状態の回数が所定回数となったことに加えて、複数種類の特定遊技状態のうち所定の有利度未満の特定遊技状態に制御された場合に、特定演出が実行される。このため、有利度の低い特定遊技状態が発生したことによる遊技の興趣の低下を抑制することができる。
【手続補正１３】
【補正対象書類名】明細書
【補正対象項目名】００１７
【補正方法】変更
【補正の内容】
【００１７】
（５）  上記（１）から（４）のいずれかに記載の遊技機において、
前記判定期間に亘って特別演出（たとえば、引戻しモード演出）を実行する特別演出実行手段（たとえば、演出制御用マイクロコンピュータ１００、図３０のＳ８７２）をさらに備えることを特徴とする。
【手続補正１４】
【補正対象書類名】明細書
【補正対象項目名】００１８
【補正方法】変更
【補正の内容】
【００１８】
このような構成によれば、判定期間に亘って特別演出が実行される。このため、判定期間を、遊技者に分かり易く報知することができる。
【手続補正１５】
【補正対象書類名】明細書
【補正対象項目名】０４０７
【補正方法】変更
【補正の内容】
【０４０７】
このような構成によれば、所定期間に亘って特別演出が実行される。このため、所定期間が変化させられた期間を、遊技者に分かり易く報知することができる。
（３−１） 各々を識別可能な複数種類の識別情報（たとえば、飾り図柄）を変動表示可能な変動表示装置（たとえば、演出表示装置９）を有し、該変動表示の表示結果が予め定められた特定表示結果となったときに、遊技者にとって有利な特定遊技状態（たとえば、１５ラウンド確変大当り、１５ラウンド通常大当り、２ラウンド確変大当りなど）に制御される遊技機（たとえば、パチンコ遊技機１、スロットマシンなど）であって、
前記特定遊技状態とするか否か、および、前記特定遊技状態とする場合に複数種類のうちのいずれの前記特定遊技状態にするかを決定する事前決定手段（たとえば、遊技制御用マイクロコンピュータ５６０、図１１のＳ２１４，Ｓ２２４、図１３のＳ６０，Ｓ７１〜Ｓ７４）と、
前記特定遊技状態終了後の判定期間（たとえば、連チャン回数を計数する期間）が経過したか否かを判定する判定手段と、
前記判定期間内において前記事前決定手段によって前記特定遊技状態にすると決定された場合に数値データ（たとえば、大当り継続回数、連チャン回数）を更新する数値データ更新手段（たとえば、演出制御用マイクロコンピュータ１００、図２９のＳ８９１）と、
前記数値データに基づいて前記特定遊技状態の回数を表示する表示手段（たとえば、演出表示装置９、演出制御用マイクロコンピュータ１００、図２９のＳ８９２）とを備え、
前記事前決定手段によって決定された前記特定遊技状態の種類に応じて前記判定期間が異なる（たとえば、大当りの種類に応じて回数を累積した回数の引戻し期間分、連チャン期間を延長する、具体的には、１５ラウンド大当りの場合５回、２ラウンド大当りの場合１０回を累積する。または、連チャン期間の特定の大当りの回数の範囲による回数の引戻し期間分、連チャン期間を延長する、具体的には、特定の大当りの回数が０〜３回であれば、引戻し期間を０回、４〜６回であれば、５０回、７回以上であれば、１００回とする。たとえば、図２９のＳ８９７、図３０のＳ８６９，Ｓ８７０）ことを特徴とする。
このような構成によれば、特定遊技状態とするか否か、および、特定遊技状態とする場合に複数種類のうちのいずれの特定遊技状態にするかが決定され、特定遊技状態終了後の判定期間が経過したか否かが判定され、判定期間内において特定遊技状態にすると決定された場合に数値データが更新され、数値データに基づいて特定遊技状態の回数が表示され、決定された特定遊技状態の種類に応じて判定期間が異なる。このため、遊技の興趣を向上させることができる。
（３−２） 上記（３−１）の遊技機において、
前記複数種類の特定遊技状態には、第１の特定遊技状態（たとえば、１５ラウンド確変大当り、１５ラウンド通常大当り）と該第１の特定遊技状態よりも有利度の低い第２の特定遊技状態（たとえば、２ラウンド確変大当り）とが含まれ、
前記事前決定手段によって前記第２の特定遊技状態が決定された割合が多いほど、前記判定期間が長い（たとえば、図３０のＳ８６９，Ｓ８７０で、２ラウンド確変大当りの回数をｍ、１５ラウンド大当りの回数をｎとしたときに、引戻し回数＝１０ｍ＋５ｎとされる）ことを特徴とする。
このような構成によれば、複数種類の特定遊技状態には、第１の特定遊技状態と該第１の特定遊技状態よりも有利度の低い第２の特定遊技状態とが含まれ、第２の特定遊技状態が決定された割合が多いほど、判定期間が長い。このため、遊技の興趣をさらに向上させることができる。
（３−３） 上記（３−１）または（３−２）の遊技機において、
前記判定期間に亘って特別演出（たとえば、引戻しモード演出）を実行する特別演出実行手段（たとえば、演出制御用マイクロコンピュータ１００、図３０のＳ８７２）をさらに備えることを特徴とする。
このような構成によれば、判定期間に亘って特別演出が実行される。このため、判定期間を、遊技者に分かり易く報知することができる。
（３−４） 上記（３−１）から（３−３）のいずれかに記載の遊技機において、
前記数値データに基づく前記特定遊技状態の回数が所定回数（たとえば、１０連チャン）以上となった場合に、特定演出（たとえば、エンディング演出）を実行する特定演出実行手段（たとえば、演出制御用マイクロコンピュータ１００、図２９のＳ８９３，Ｓ８９６）をさらに備えることを特徴とする。
このような構成によれば、判定期間の特定遊技状態の回数が所定回数以上となった場合に、特定演出が実行される。このため、判定期間における特定遊技状態が所定回数以上となったことを、遊技者に分かり易く報知することができる。
（４−１） 各々を識別可能な複数種類の識別情報（たとえば、飾り図柄）を変動表示可能な変動表示装置（たとえば、演出表示装置９）を有し、該変動表示の表示結果が予め定められた特定表示結果となったときに、遊技者にとって有利な特定遊技状態（たとえば、１５ラウンド確変大当り、１５ラウンド通常大当り、２ラウンド確変大当りなど）に制御される遊技機（たとえば、パチンコ遊技機１、スロットマシンなど）であって、
前記特定遊技状態とするか否か、および、前記特定遊技状態とする場合に複数種類のうちのいずれの前記特定遊技状態にするかを決定する事前決定手段（たとえば、遊技制御用マイクロコンピュータ５６０、図１１のＳ２１４，Ｓ２２４、図１３のＳ６０，Ｓ７１〜Ｓ７４）と、
前記特定遊技状態終了後の判定期間（たとえば、連チャン回数を計数する期間）が経過したか否かを判定する判定手段と、
前記判定期間内において前記事前決定手段によって前記特定遊技状態にすると決定された場合に数値データ（たとえば、大当り継続回数、連チャン回数）を更新する数値データ更新手段（たとえば、演出制御用マイクロコンピュータ１００、図２９のＳ８９１）と、
前記数値データに基づいて前記特定遊技状態の回数を表示する表示手段（たとえば、演出表示装置９、演出制御用マイクロコンピュータ１００、図２９のＳ８９２）と、
前記特定遊技状態の回数が所定回数（たとえば、１０連チャン）となった場合に、特定演出（たとえば、エンディング演出）を実行する特定演出実行手段（たとえば、演出制御用マイクロコンピュータ１００、図２９のＳ８９３，Ｓ８９６）と、
前記特定演出実行手段によって前記特定演出が実行された後は、当該特定演出が実行される前の前記判定期間よりも長い判定期間となることを制限する判定期間制限手段（たとえば、大当りの種類に応じて回数を累積した回数の引戻し期間分、連チャン期間を延長する、具体的には、１５Ｒ大当りの場合５回、２Ｒ大当りの場合１０回を累積する。または、連チャン期間の特定の大当りの回数の範囲による回数の引戻し期間分、連チャン期間を延長する、具体的には、特定の大当りの回数が０〜３回であれば、引戻し期間を０回、４〜６回であれば、５０回、７回以上であれば、１００回とする。しかし、図２９のＳ８９７、図３０のＳ８６９，Ｓ８７０で示すように、エンディング演出が実行された後は、Ｓ８６９で決定される引戻し回数は一定となる）とを備えることを特徴とする。
このような構成によれば、特定遊技状態とするか否か、および、特定遊技状態とする場合に複数種類のうちのいずれの特定遊技状態にするかが決定され、特定遊技状態終了後の判定期間が経過したか否かが判定され、判定期間内において特定遊技状態にすると決定された場合に数値データが更新され、数値データに基づいて特定遊技状態の回数が表示され、特定遊技状態の回数が所定回数となった場合に、特定演出が実行され、特定演出が実行された後は、当該特定演出が実行される前の判定期間よりも長い判定期間となることが制限される。
このため、判定期間における特定遊技状態の回数が所定回数となっている場合には、必要以上に判定期間を長くさせないようにできるため、遊技の興趣を向上させることができる。その結果、特定遊技状態の回数によって遊技の興趣を向上させることが可能な遊技機を提供することができる。
また、判定期間における特定遊技状態の回数が所定回数となった場合に、特定演出が実行される。このため、判定期間における特定遊技状態が所定回数となったことを、遊技者に分かり易く報知することができる。
（４−２） 上記（４−１）の遊技機において、
前記判定期間における前記事前決定手段によって決定された前記特定遊技状態の種類に応じて前記判定期間が異なり、
前記判定期間制限手段は、前記特定演出実行手段によって前記特定演出が実行された後は、前記特定演出が実行される直前までの前記特定遊技状態の種類に応じた前記判定期間に制限することを特徴とする。
このような構成によれば、判定期間における決定された特定遊技状態の種類に応じて判定期間が異なり、特定演出が実行された後は、特定演出が実行される直前までの特定遊技状態の種類に応じた判定期間に制限される。このため、必要以上に判定期間を長くさせないようにすることができる。
（４−３） 上記（４−１）の遊技機において、
前記判定期間における前記事前決定手段によって決定された前記特定遊技状態の種類に応じて前記判定期間が異なり、
前記判定期間制限手段は、前記特定演出実行手段によって前記特定演出が実行された後は、当該特定演出が実行される前の前記判定期間以下の長さの特定の期間（たとえば、０回またはデフォルト回数の変動表示の期間）に制限することを特徴とする。
このような構成によれば、判定期間における決定された特定遊技状態の種類に応じて判定期間が異なり、特定演出が実行された後は、当該特定演出が実行される前の判定期間以下の長さの特定の期間に制限される。このため、必要以上に判定期間を長くさせないようにすることができる。
（４−４） 上記（４−１）から（４−３）のいずれかに記載の遊技機において、
前記特定演出実行手段は、前記特定遊技状態の回数が所定回数（たとえば、１０連チャン）となったことに加えて、前記複数種類の特定遊技状態のうち所定の有利度未満の特定遊技状態（たとえば、１５ラウンド通常大当り）に制御された場合に、前記特定演出を実行する（たとえば、図２９のＳ８９３，Ｓ８９４，Ｓ８９６）ことを特徴とする。
このような構成によれば、特定遊技状態の回数が所定回数となったことに加えて、複数種類の特定遊技状態のうち所定の有利度未満の特定遊技状態に制御された場合に、特定演出が実行される。このため、有利度の低い特定遊技状態が発生したことによる遊技の興趣の低下を抑制することができる。
（４−５） 上記（４−１）から（４−４）のいずれかに記載の遊技機において、
前記判定期間に亘って特別演出（たとえば、引戻しモード演出）を実行する特別演出実行手段（たとえば、演出制御用マイクロコンピュータ１００、図３０のＳ８７２）をさらに備えることを特徴とする。
このような構成によれば、判定期間に亘って特別演出が実行される。このため、判定期間を、遊技者に分かり易く報知することができる。